(57)【要約】【課題】非発光状態で反射面がメタリック調となるのを防止できる照明装置を提供する。【解決手段】バックライト１０はトップエミッション構造で、基板１１に反射電極１３、有機ＥＬ層１４、透明電極１５が順に積層されて有機ＥＬ素子１７が形成され、パッシベーション膜１６により有機ＥＬ素子１７が封止されている。バックライト１０において光はパッシベーション膜１６側から取り出される。反射電極１３より光の取り出し側の、透明電極１５の上側の面２１に微小な凹凸が形成され、透明電極１５とパッシベーション膜１６との境界部は、光を散乱させる散乱部２２として構成されている。散乱部２２は反射電極１３以外の箇所であるため、外光２５は反射の前と後の合計２回散乱する。【選択図】　　　図２
2004039568.tif 000002
【特許請求の範囲】
【請求項１】
有機ＥＬ層を電極で挟んだ有機ＥＬ素子を基板上に形成するとともに、一方の電極側を光の取り出し側とし、前記有機ＥＬ層に対して前記一方の電極と反対側に光の反射部を備え、前記有機ＥＬ層の非発光状態では、前記取り出し側から入射された光を前記反射部で反射して反射光を前記取り出し側から出射する照明装置であって、前記反射部又はそれより前記光の取り出し側に、光を散乱させる散乱部を設けた照明装置。
【請求項２】
前記散乱部は、前記反射部以外の箇所に形成されている請求項１に記載の照明装置。
【請求項３】
前記有機ＥＬ素子の構成部材のうち少なくとも１つの部材の表面に微小な凹凸が形成されて前記散乱部が形成されている請求項１又は請求項２に記載の照明装置。
【請求項４】
前記光の取り出し側を前記基板と反対側としたトップエミッション構造である請求項１〜請求項３のいずれか一項に記載の照明装置。
【請求項５】
前記有機ＥＬ素子は、全面発光するように形成されている請求項１〜請求項４のいずれか一項に記載の照明装置。
【請求項６】
請求項１〜請求項５のいずれか一項に記載の照明装置が、その光の取り出し側において透過型又は半透過型の液晶表示部と組み付けられている表示装置。
【請求項７】
請求項２に記載の照明装置が、その光の取り出し側において透過型又は半透過型の液晶表示部と透明な接着剤により接着され、前記接着剤の中に光を散乱させる微小な散乱粒子が混ぜられて前記散乱部が形成されている表示装置。
【発明の詳細な説明】
【０００１】
【発明の属する技術分野】
本発明は、照明装置及び表示装置に係り、詳しくは有機エレクトロルミネッセンス（有機ＥＬ）素子を備えた照明装置及び表示装置に関する。
【０００２】
【従来の技術】
従来、ＬＣＤ（液晶表示装置）は、バックライトを備える透過型、外からの光（外光）を反射させる反射部を備える反射型、画素の一部を透過用に、残りを反射用に用いる半透過型に大別され、反射型は屋外での視認性に優れるが、室内では十分なコントラストが得られないという問題がある。逆に透過型は室内では優れた画質が得られるが、屋外ではコントラストが低下し、視認性が低下するという問題がある。また、半透過型は透過型と反射型それぞれの中間的な特性となり、透過型、反射型それぞれが得意とする環境で使われる場合に比べ、良好な画質が得られないという問題がある。
【０００３】
このような問題を解決するため、透過型の液晶表示装置を基本とし、バックライトに本来のライト機能と、反射ミラーとしての機能とを持たせることにより、透過、反射の両モードにおいて良好な画質を得る構造が提案されている。そして、そのようなバックライトとして有機ＥＬ素子を備えるものが考えられている。
【０００４】
例えば基板と反対側から光を取り出すトップエミッション構造では、基板に金属電極を形成し、その上に有機ＥＬ層、透明電極を順に形成して有機ＥＬ素子を構成し、有機ＥＬ素子を封止膜（パッシベーション膜）で封止する構成が提案されている。酸素、水分との反応性が高い有機ＥＬ層はパッシベーション膜により外気から遮断され、パッシベーション膜及び有機ＥＬ層は光を透過するように透明に形成されている。このようなバックライトの反射モード時で有機ＥＬ層は非発光状態にされ、液晶表示部側から入射される外光が透明電極、有機ＥＬ層を通過して金属電極の表面で反射され、反射光が有機ＥＬ層、透明電極、パッシベーション膜を通過して液晶表示部側へ達する。
【０００５】
【発明が解決しようとする課題】
ところが、上記のように有機ＥＬ素子を備えるバックライトでは、有機ＥＬ素子が非発光状態である反射モード時は金属電極による全反射のため、反射面がメタリック調（金属光沢）になる。このため、液晶表示部で表示される文字や画像等があたかも鏡の中に存在するような表示状態になり、外部像が表示面の中に写り込み、文字や画像が見えにくくなる。例えば外光の光源が蛍光灯の場合、その蛍光灯が表示面の中に写り込む。また、外光の入射に対し、正反射方向しか明るくならず、視野角特性が悪くなる。
【０００６】
本発明は上記の問題点に鑑みてなされたものであって、その目的は、非発光状態で反射面がメタリック調となるのを防止できる照明装置及び表示装置を提供することにある。
【０００７】
【課題を解決するための手段】
上記の目的を達成するために、請求項１に記載の発明では、有機ＥＬ層を電極で挟んだ有機ＥＬ素子を基板上に形成するとともに、一方の電極側を光の取り出し側とし、前記有機ＥＬ層に対して前記一方の電極と反対側に光の反射部を備えている。前記有機ＥＬ層の非発光状態では、前記取り出し側から入射された光を前記反射部で反射して反射光を前記取り出し側から出射する。そして、前記反射部又はそれより前記光の取り出し側に、光を散乱させる散乱部を設けている。この発明では、有機ＥＬ層の非発光状態で、反射部で反射される光は、散乱部で散乱して出射される。従って、反射面の金属光沢が低減され、外光の入射角によらず、明るい散乱面（白色）が得られる。
【０００８】
請求項２に記載の発明では、請求項１に記載の発明において、前記散乱部は、前記反射部以外の箇所に形成されている。この発明では、光は反射部で反射する前と、反射した後との合計２回散乱する。従って、例えば反射部に散乱部を形成して光を反射の際の１回だけ散乱させる場合に比べて、光の散乱の度合いを強めることができる。
【０００９】
請求項３に記載の発明では、請求項１又は請求項２に記載の発明において、前記有機ＥＬ素子の構成部材のうち少なくとも１つの部材の表面に微小な凹凸が形成されて前記散乱部が形成されている。この発明では、照明装置に新たに部材を追加する必要なく散乱部を形成できる。
【００１０】
請求項４に記載の発明では、請求項１〜請求項３のいずれか一項に記載の発明において、前記光の取り出し側を前記基板と反対側としたトップエミッション構造である。この発明では、光が通過する部分を基板より薄くできるので、基板側から光を取り出すために光が基板を通過するボトムエミッション構造に比べて、光が減衰されにくい。
【００１１】
請求項５に記載の発明では、請求項１〜請求項４のいずれか一項に記載の発明において、前記有機ＥＬ素子は、全面発光するように形成されている。この発明では、有機ＥＬ層を挟む電極を面状に形成すればよいため、電極を分割形成するような場合に比べて有機ＥＬ素子を簡単に形成できる。
【００１２】
請求項６に記載の発明では、請求項１〜請求項５のいずれか一項に記載の照明装置が、その光の取り出し側において透過型又は半透過型の液晶表示部と組み付けられている。この発明では、請求項１〜請求項５のいずれか一項に記載の照明装置を液晶表示装置のバックライトとして使用しているので、反射モード時に反射面がメタリック調になるのを防止できる。
【００１３】
請求項７に記載の発明では、請求項２に記載の照明装置が、その光の取り出し側において透過型又は半透過型の液晶表示部と透明な接着剤により接着され、前記接着剤の中に光を散乱させる微小な散乱粒子が混ぜられて前記散乱部が形成されている。この発明では、散乱粒子を接着剤に混ぜることにより散乱部を形成できるため、部材の表面を微小な凹凸を有するように形成するより簡単に散乱部を形成できる。
【００１４】
【発明の実施の形態】
以下、本発明をパッシブ・マトリックス方式の透過型の液晶表示装置に具体化した一実施の形態を図１及び図２に従って説明する。図１は液晶表示装置の模式分解斜視図であり、図２はバックライトの模式部分断面図である。図１、図２において上側に表示部が設けられている。図１、図２ではわかりやすいように図示するため各部材の厚さの比は正確ではない。
【００１５】
図１に示すように、パッシブ・マトリックス方式の液晶表示部としての液晶パネル１は液晶９の一方の側（図１では上側）に、偏光板２、基板３、カラーフィルタ４、透明電極５を有する。また、液晶パネル１は液晶９の他方の側（図１では下側）に偏光板６、基板７、走査電極８を有する。そして、液晶パネル１はその厚み方向の中央部に液晶９を有する。
【００１６】
基板３の上側には偏光板２が形成されている。基板３の下側にはカラーフィルタ４が複数本平行に形成され、さらにカラーフィルタ４と同様に透明電極５が形成されている。一方、基板７の下側には偏光板６が形成されている。基板７の上側には、カラーフィルタ４及び透明電極５と直交する方向に、走査電極８が複数本平行に形成されている。そして、透明電極５と走査電極８の間に液晶９が配設され、基板３，７の間隔を一定に保った状態で、図示しないシール材によって貼り合わされている。よって透明電極５と走査電極８は液晶９を挟んで、その交差部分においてサブピクセルを構成し、そのサブピクセルはマトリックス状に配置されている。そして、Ｒ（赤）、Ｇ（緑）、Ｂ（青）に対応するサブピクセル各１つ計３つのサブピクセルによってピクセル（画素）が構成されている。基板３，７はともに透明で例えばガラス製である。また、透明電極５と走査電極８はともに透明でＩＴＯ（インジウム錫酸化物）製である。
【００１７】
図１及び図２に示すように、照明装置としてのバックライト１０は、その面積が液晶パネル１とほぼ同じであり、基板１１、反射部としての反射電極１３、有機ＥＬ層１４、透明電極１５、封止膜としてのパッシベーション膜１６を有している。反射電極１３は陰極、透明電極１５は陽極であり、反射電極１３と有機ＥＬ層１４と透明電極１５とは有機ＥＬ素子１７を構成している。液晶パネル１とバックライト１０とは、それぞれの図示しない外枠同士が組み付けられて表示装置としての液晶表示装置２０を構成している。
【００１８】
バックライト１０は、基板１１と反対側が光の取り出し側となるトップエミッション構造となるように形成されている。基板１１の上側には反射電極１３が形成され、反射電極１３の上側に有機ＥＬ層１４、有機ＥＬ層１４の上側に透明電極１５が形成されている。バックライト１０が全面発光するように、反射電極１３、有機ＥＬ層１４、透明電極１５は平面状で、それぞれの面積が液晶パネル１とほぼ同じに形成されている。パッシベーション膜１６は、有機ＥＬ素子１７を封止して水分や酸素の透過を遮断する機能を有するように形成されている。パッシベーション膜１６はバックライト１０において液晶パネル１と面するように設けられている。
【００１９】
基板１１は例えばガラス製である。反射電極１３は金属電極で、例えばアルミ製である。有機ＥＬ層１４は、公知の構成のものが使用され例えば電子輸送層、発光層、正孔輸送層から構成されている。また、有機ＥＬ層１４は白色発光層で構成されている。透明電極１５はＩＴＯ製である。パッシベーション膜１６は透明な材質により形成されている。
【００２０】
図２に示すように、透明電極１５の上側の面２１は微小な凹凸を有するように形成されている。このため、透明電極１５とパッシベーション膜１６との境界部は微小な凹凸を有するようになっており、この境界部が光の散乱部２２を構成している。凹凸の寸法は透明電極１５やパッシベーション膜１６の厚みに比べて小さくなっており、例えば透明電極１５やパッシベーション膜１６の厚みの１０分の１以下である。
【００２１】
上記構成のバックライト１０を製造する際には、まず、基板１１に反射電極１３、有機ＥＬ層１４、透明電極１５を順に蒸着により形成する。そして、透明電極１５の上側の面２１を微小な凹凸を有するように形成し、その後にパッシベーション膜１６を蒸着により形成する。
【００２２】
次に上記のように構成された本実施の形態の作用について説明する。
液晶パネル１は図示しない駆動制御装置により透明電極５と走査電極８との間に電圧が印加され、所望のサブピクセルが透過可能となる。
【００２３】
一方、バックライト１０は電源投入されると、反射電極１３と透明電極１５との間に電圧が印加され、有機ＥＬ素子１７が白色に発光する。発光した光は直接、もしくは反射電極１３に反射して、透明電極１５及びパッシベーション膜１６を通過して液晶パネル１へ達する。液晶パネル１へ達した光のうち、透過可能になったサブピクセル部分への光のみが、液晶パネル１の上側に出てくる。このとき光はカラーフィルタ４の図示しないＲ（赤）、Ｇ（緑）、Ｂ（青）のサブピクセルを通過し、その組み合わせにより所望の色が再現される。このようにして透過モードでの画面表示が行われる。
【００２４】
また、反射モードでは、バックライト１０の電源がオフに切り換えられ、反射電極１３と透明電極１５との間への電圧印加が停止されて有機ＥＬ素子１７が非発光状態になる。この状態では、外光２５が液晶パネル１を通りバックライト１０へ入射される。外光２５は、パッシベーション膜１６から透明電極１５へ進む際に、散乱部２２が微小な凹凸を有するようになっているため散乱部２２で散乱する。散乱した光は透明電極１５、有機ＥＬ層１４を通過して反射電極１３の上側の面２３で反射する。反射した光は、有機ＥＬ層１４、透明電極１５を通過して散乱部２２で再び散乱し、液晶パネル１へ達する。このように外光２５は、反射電極１３での反射の前と後の合計２回散乱して液晶パネル１へ達する。散乱部２２での散乱により、反射面は金属光沢が低減されてメタリック調となるのが防止され、白色状態となるため、液晶パネル１で表示される文字や画像が良好に読み取られる。
【００２５】
この実施の形態によれば、以下のような効果を有する。
（１）　バックライト１０には光の散乱部２２が形成されている。従って、散乱部２２での光の散乱により、反射面がメタリック調となるのを防止でき、反射モード時の液晶パネル１の表示を見やすくすることができる。また、反射光が散乱することにより、鏡面反射の場合のように反射光が平行な光線となって特定の方向にだけ出射するのと異なり、視野角が広くなる。
【００２６】
（２）　散乱部２２が反射電極１３以外の箇所に形成されている。このため、外光２５は、反射の前と後との合計２回散乱する。従って、例えば反射電極１３の上側の面２３を微小な凹凸を有するように形成して外光２５を反射電極１３の面２３での反射の際の１回だけ散乱させる場合に比べて、光の散乱の度合いを強めることができる。よって、反射面の金属光沢をより低減でき、反射モード時の液晶パネル１の表示をより見えやすくすることができる。
【００２７】
（３）　散乱部２２は、有機ＥＬ素子１７の構成部材である透明電極１５の面２１を微小な凹凸を有するように形成することにより形成されている。従って、バックライト１０に新たに部材を追加する必要なく散乱部を形成でき、バックライト１０の厚みを増やさなくてよい。
【００２８】
（４）　バックライト１０はトップエミッション構造である。従って、外光２５はパッシベーション膜１６を通過するため、光が通過する部分を基板１１より薄くできるので、基板側から光を取り出すために光が基板を通過するボトムエミッション構造に比べて、光が減衰されにくい。
【００２９】
（５）　バックライト１０は全面発光するように形成されている。従って、有機ＥＬ層１４を挟む反射電極１３及び透明電極１５を面状に形成すればよいため、電極を分割形成するような場合に比べて有機ＥＬ素子１７を簡単に形成できる。
【００３０】
（６）　透過型の液晶表示装置２０は、前記構成のバックライト１０を備えている。従って、反射モード時に反射面がメタリック調になるのを防止して表示画面を見えやすくすることができる。
【００３１】
なお、実施の形態は上記実施の形態に限定されるものではなく、例えば以下のように変更してもよい。
○　微小な凹凸を有するように形成するのは透明電極１５に限らず、例えばパッシベーション膜１６の上側の面１６ａを微小な凹凸を有するように形成して散乱部としてもよい。
【００３２】
○　有機ＥＬ層１４の上側の面１４ａを微小な凹凸を有するように形成してから透明電極１５を形成して境界部を散乱部としてもよい。
○　反射電極１３の上側の面２３を微小な凹凸を有するように形成してから有機ＥＬ層１４を形成して境界部を散乱部としてもよい。この場合、反射部と散乱部とが同じ箇所であり、外光２５は面２３で反射する際に散乱する。この場合でも反射面がメタリック調になるのを防止できるが、光が散乱するのは反射する際の１回だけである。これに比べ、上記のように散乱部を反射電極１３以外の箇所に形成すると、光が反射の前後の合計２回散乱するため、光の散乱の度合いを強めることができる。
【００３３】
○　散乱部は一箇所に形成するのに限らず、２箇所以上に形成してもよい。例えば透明電極１５の上側の面２１を微小な凹凸を有するように形成してからパッシベーション膜１６を蒸着するとともに、パッシベーション膜１６の上側の面１６ａを微小な凹凸を有するように形成する。
【００３４】
○　散乱部を形成するのは、部材の表面を微小な凹凸を有するように形成するのに限らない。例えば図３に示すように、液晶パネル１とバックライト１０とを透明な材質からなる接着剤により接着する構成とし、この接着剤に光を散乱させるビーズ状の微小な散乱粒子３１を多数混ぜて散乱部としての散乱層３３を形成してもよい。散乱粒子３１の径は透明電極１５、パッシベーション膜１６等の厚みに比べて小さく、例えば透明電極１５やパッシベーション膜１６の厚みの１０分の１以下である。外光２５は、液晶パネル１からバックライト１０へ入射する際に散乱層３３で散乱し、反射電極１３で反射して散乱層３３で再び散乱して液晶パネル１へ達するため、この構成でも反射面がメタリック調になるのを防止できる。また、この構成では、部材の表面を微小な凹凸を有するように形成するより簡単に散乱部を形成できる。
【００３５】
○　散乱層３３は、例えば透明電極１５とパッシベーション膜１６との間に形成してもよい。
○　図４に示すように、パッシベーション膜１６に散乱粒子３１を混ぜて形成し、パッシベーション膜１６を散乱層３３として形成してもよい。製造工程は、例えばパッシベーション膜１６の蒸着を複数回に分けて行い、蒸着の後に散乱粒子３１を散布し、次の蒸着の後にまた散乱粒子３１を散布する、という作業を繰り返して散乱粒子３１をパッシベーション膜１６内に分布させる。この構成では、厚みを増やさずに散乱層を設けることができる。
【００３６】
○　上記のように散乱粒子３１を混ぜるのはパッシベーション膜１６に限らず、例えば透明電極１５に散乱粒子３１を混ぜて散乱層としてもよい。
○　有機ＥＬ層１４に散乱粒子３１を混ぜて散乱層としてもよい。
【００３７】
○　バックライトは、基板１１と反対側から光を取り出すトップエミッション構造に限らず、例えば図５に示すように、基板１１側から光を取り出すボトムエミッション構造のバックライト３５を形成してもよい。この場合、基板１１に透明電極１５、有機ＥＬ層１４、反射電極１３を順に積層して有機ＥＬ素子１７を形成し、有機ＥＬ素子１７をパッシベーション膜１６により封止する。そして、例えば基板１１の有機ＥＬ素子１７と反対側の面３６を微小な凹凸を有するように形成して散乱部２２を形成する。この場合、液晶パネル１を通った外光２５は面３６で散乱し、基板１１、透明電極１５、有機ＥＬ層１４を通過して反射電極１３で反射し、そして反射光が面３６で再び散乱して液晶パネル１へ達する。
【００３８】
○　上記のようにバックライトをボトムエミッション構造にした場合、基板１１の有機ＥＬ素子１７側の面３７を微小な凹凸を有するように形成してから透明電極１５を形成し、基板１１と透明電極１５との境界部を散乱部としてもよい。また、透明電極１５の有機ＥＬ層１４側の面を微小な凹凸を有するように形成してから有機ＥＬ層１４を形成して境界部を散乱部としてもよい。また、有機ＥＬ層１４の反射電極１３側の面を微小な凹凸を有するように形成してから反射電極１３を形成して散乱部としてもよい。
【００３９】
○　バックライトをボトムエミッション構造にした場合、例えば散乱粒子３１を混ぜた透明樹脂やガラスにより基板１１を形成して基板１１を散乱層としてもよい。また、透明電極１５又は有機ＥＬ層１４に散乱粒子３１を混ぜて散乱層としてもよい。また、基板１１と液晶パネル１とを、散乱粒子３１を含む接着剤からなる散乱層３３で接着してもよい。
【００４０】
○　図６に示すように、トップエミッション構造のバックライトで、基板１１の有機ＥＬ素子１７側の面３７を波状に形成し、その上に反射部としての反射電極４２を厚みが均一になるように形成して、反射電極４２を基板１１の面３７に対応して波状に形成してもよい。この構成では、反射電極４２の上側の面４３が散乱部となり、外光２５は、面４３で反射するとともに散乱されるため、この構成でも反射面がメタリック調となるのを防止できる。この波は、基板に対する平均傾斜角度が１０度以下となるようにする。
【００４１】
○　上記のように反射電極４２を波状に形成して散乱部を形成するのは、ボトムエミッション構造において実施してもよい。
○　反射部は反射電極１３に限らない。例えば有機ＥＬ層１４を挟む陽極と陰極の両電極を透明電極として、光の取り出し側と反対側に反射部としての金属膜等の反射膜を取り付けてもよい。
【００４２】
○　有機ＥＬ素子１７を封止するのはパッシベーション膜１６に限らない。例えばガラス製等の、水分や酸素の透過を遮断するとともに透明な材質よりなる基板をパッシベーション膜１６に代えて配置し、この基板と基板１１との間を図示しないシール材（例えば、エポキシ樹脂）で封止して有機ＥＬ層１４へ外部から水分や酸素が進入するのを防いでもよい。
【００４３】
○　ボトムエミッション構造では、パッシベーション膜１６に代えて金属製の封止缶（封止カバー）で有機ＥＬ素子１７を封止してもよい。
○　反射電極１３はアルミ製に限らず、例えばクロム製であってもよい。
【００４４】
○　反射電極１３が陽極で、透明電極１５が陰極でもよい。
○　液晶パネルは透過型又は半透過型であればよく、パッシブ・マトリックス方式に限らず、例えばアクティブ・マトリックス方式であってもよい。
【００４５】
○　バックライト１０は全面発光する構成に限らず、例えばバックライトを複数の領域に分割して、各領域毎に点灯（発光）可能に構成し、液晶パネル１の表示部のうちバックライトの点灯が必要な部分のみを選択して点灯させてもよい。この場合、バックライトを全面発光させる構成に比較して消費電力を低減できる。
【００４６】
○　照明装置は液晶表示装置のバックライトに限らず、例えば自動車のルームランプや、室内の壁掛け用の照明装置等として形成してもよい。照明装置を壁掛け用に形成した場合、室内の装飾等との関係により、非発光状態で照明装置が鏡状になるのがふさわしくない場合等に本発明は有効である。
【００４７】
上記各実施の形態から把握できる発明（技術的思想）について、以下に追記する。
（１）　請求項１又は請求項２に記載の発明において、前記散乱部は、光を散乱させる微小な散乱粒子を含む透明な材質より構成されている。
【００４８】
（２）　有機ＥＬ層を電極で挟んだ有機ＥＬ素子を基板上に形成するとともに、一方の電極側を光の取り出し側とし、前記有機ＥＬ層に対して前記一方の電極と反対側に光の反射部を備え、前記有機ＥＬ層の非発光状態では、前記取り出し側から入射された光を前記反射部で反射して反射光を前記取り出し側から出射する照明装置であって、光を散乱させる微小な散乱粒子が、前記反射部より前記光の取り出し側において、前記有機ＥＬ素子の構成部材のうち少なくとも１つに含まれている。
【００４９】
（３）　有機ＥＬ素子が形成される基板と反対側を光の取り出し側としたトップエミッション構造の照明装置であって、前記基板に反射電極、有機ＥＬ層、透明電極、封止膜が順に形成され、光を散乱させる散乱部が、前記有機ＥＬ層と前記透明電極との境界部、前記透明電極と前記封止膜との境界部及び前記封止膜の前記有機ＥＬ素子と反対側の面のうち少なくともいずれか１つに形成されている。
【００５０】
（４）　有機ＥＬ素子が形成される基板側を光の取り出し側としたボトムエミッション構造の照明装置であって、前記基板に透明電極、有機ＥＬ層、反射電極、封止膜が順に形成され、光を散乱させる散乱部が、前記基板の前記有機ＥＬ素子と反対側の面、前記基板と前記透明電極との境界部及び前記透明電極と前記有機ＥＬ層との境界部のうち少なくともいずれか１つに形成されている。
【００５１】
（５）　有機ＥＬ素子が形成される基板と反対側を光の取り出し側としたトップエミッション構造の照明装置であって、前記基板に反射電極、有機ＥＬ層、透明電極、封止膜が順に形成され、光を散乱させる微小な散乱粒子が、前記有機ＥＬ層、前記透明電極及び前記封止膜のうち少なくともいずれか１つに含まれている。
【００５２】
（６）　有機ＥＬ素子が形成される基板側を光の取り出し側としたボトムエミッション構造の照明装置であって、前記基板に透明電極、有機ＥＬ層、反射電極、封止膜が順に形成され、光を散乱させる微小な散乱粒子が、前記基板、前記透明電極及び前記有機ＥＬ層のうち少なくともいずれか１つに含まれている。
【００５３】
（７）　請求項１に記載の発明において、前記基板と反対側を光の取り出し側としたトップエミッション構造であって、前記反射部は反射電極であって、前記基板の表面が波状に形成され、その面に前記反射電極が、その厚みが均一で波状に形成されている。
【００５４】
【発明の効果】
以上詳述したように請求項１〜請求項７に記載の発明によれば、非発光状態で反射面がメタリック調となるのを防止できる。
【図面の簡単な説明】
【図１】液晶表示装置の模式分解斜視図。
【図２】バックライトの模式部分断面図。
【図３】別例のバックライトの模式部分断面図。
【図４】他の別例のバックライトの模式部分断面図。
【図５】他の別例のバックライトの模式部分断面図。
【図６】他の別例のバックライトの模式部分断面図。
【符号の説明】
１…液晶表示部としての液晶パネル、１０，３５…照明装置としてのバックライト、１１…基板、１３，４２…反射部としての反射電極、１４…有機ＥＬ層、１５…透明電極、１７…有機ＥＬ素子、２０…表示装置としての液晶表示装置、２２…散乱部、３１…散乱粒子、３３…散乱部としての散乱層。
【図１】
2004039568.tif 000003
【図２】
2004039568.tif 000004
【図３】
2004039568.tif 000005
【図４】
2004039568.tif 000006
【図５】
2004039568.tif 000007
【図６】
2004039568.tif 000008